(57)【要約】【課題】  従来の特殊作業車は、定期的に稼働されたり、特定のプロジェクトのために頻繁に稼働されることはあっても、稼働期間にバラツキが多く遊休車両として長期間放置されることも多く、高額の架装費用を掛けて単体の特殊車両として維持することに問題がある。【解決手段】  積載架台部２に、枠体内に構成部材を収容してユニット化された機能構造体Ｗを嵌合着合する搭載機構を設けた車両と、前記枠体内に構成部材を収容してユニット化された複数の機能構造体とを設定し、必要に応じて目的に対応する機能構造体を搭載するように構成した。【選択図】図１
2005231474.tif 000002
【特許請求の範囲】
【請求項１】
積載架台部に、枠体内に構成部材を収容してユニット化された機能構造体を着合する搭載機構を設けた車両と、前記枠体内に構成部材を収容してユニット化された複数の機能構造体とから成り、必要に応じて目的に対応する機能構造体を搭載するように構成した多機能作業車両
【請求項２】
車両の積載架台部に設ける搭載機構を、直立先端部に掛架機構を設け、水平部後端を積載架台部に支着して支着部を支軸として回動するカギ型の回動腕枠とし、搭載される機能構造体ユニットの収容枠体の先端側頂部に前記掛架機構と掛合する掛合機構を設け、後端側底部にローラー等の移送機構を設置するようにした請求項１記載の多機能作業車両
【請求項３】
先端側頂部に掛合機構を設け、後端側底部に車輪等の移送機構を設置した枠体に、バキューム機構、パッカー機構、水流噴射洗浄機構等の所定目的に対応する架装部材を配装して車両の積載架台部に搭載可能にユニット化したことを特徴とする架装部材ユニット
【発明の詳細な説明】
【技術分野】
【０００１】
本発明は、特殊作業機構を架装して現場において作業する特殊作業車、特に、ガソリンの地下貯蔵槽内の汚泥を吸引回収するバキューム車、回収物を圧縮収納するパッカー車、地下ピット壁面の汚泥や配管内壁の付着物を高圧噴流によって洗浄する洗浄車、コンクリートミキサー車、ポンプ車等、定期的に稼働されるものの稼働期間にバラツキが多い特殊機構架装車に関するものである。
【背景技術】
【０００２】
従来、地上タンク、地下タンクから汚泥を吸引回収するバキューム車、回収物を圧縮収納するパッカー車、地下ピット壁面の汚泥や配管内壁の付着物を高圧噴流によって洗浄する洗浄車、コンクリートミキサー車、ポンプ車等の特殊作業車は、個別にそれぞれの機能構造体を架装して単体の特殊作業車として用いられている。
【０００３】
特殊作業車として機能構造体をリヤボディに搭載する車両としては、例えば特許文献１に記載される平ボディ式リヤボディを搭載するトラック車、特許文献２に記載されるバキュームカーのようにリヤボディにクレーン装置を搭載するもの等が見られるが、機能構造体をユニット化したものは見当たらない。
【特許文献１】特開２０００−２６４２６２号公報
【特許文献２】特開平７−５４３９５号公報
【発明の開示】
【発明が解決しようとする課題】
【０００４】
しかしながら、この種の特殊作業車は、定期的に稼働されたり、特定のプロジェクトのために頻繁に稼働されることはあっても、稼働期間にバラツキが多く遊休車両として長期間放置されることも多いため、高額の架装費用を掛けて単体の特殊車両として維持することには余りにも大きな無駄がある。
【０００５】
一方、架装の基礎車体となる架台車両は、運転席と積載架台のみから成るもので、基本的に同一の車体からなっており、架装部材だけが異なるものとなっている。
【課題を解決するための手段】
【０００６】
本発明は上記した問題に対応しようとするものであり、積載架台部に、枠体内に構成部材を収容してユニット化された機能構造体を嵌入着合する搭載機構を設けた車両と、前記枠体内に構成部材を収容してユニット化された複数の機能構造体を用意して、必要に応じて目的に対応する機能構造体を選択して搭載するように構成したものである。
【０００７】
即ち、複数の異なった種類の機能構造体ユニットを用意しておき、その中から必要に応じて選択したユニット体を、搭載機構だけを設けた基礎車体に搭載することにより、１台の基礎車体を様々な特殊機能車両として用いることができるようにしたものである。
【０００８】
また、車両の積載架台部に設ける搭載機構を、直立先端部に掛架機構を設け、水平部後端を積載架台部に軸着して軸着部を支軸として回動するカギ型回動枠とし、搭載される機能構造体ユニットの収容枠体の先端側頂部に前記掛架機構と掛合する掛合機構を設け、後端側底部に車輪等の移送機構を設置するようにして機能構造体ユニットの積替えを効率的に行えるようにした。
【実施例】
【０００９】
以下、本発明の実施例を図面を参照して説明する。１は基礎車体で、車両の積載架台部２に、その直立先端部３１に掛架機構３２を設け、水平部後端３３を積載架台部２に支着して支着部２１を支軸として回動するカギ型の回動腕枠３とした搭載機構が設けられている。
【００１０】
搭載機構の回動腕枠３は、ベース体３ａと支着体３ｂ、伸縮アーム３ｃとからなっており、基礎車体１の基着部２２においてベース体３ａの後端３３が支着され、更に、ベース体３ａの先端側に設けられた支着部２１に支着体３ｂの基端が支着されて、伸縮アーム３ｃを嵌入した支着体３ｂが支着部２１を支軸として駆動シリンダー３ｄの伸縮駆動によって回動するものである。
【００１１】
図２は、地下貯蔵槽内の汚泥を吸引回収するバキューム機構をユニット化したバキュームユニットで、先端側頂部に搭載機構の回動腕枠３の掛架機構３２と掛合する掛合機構４１を設け、後端底部にローラー４２を付設した収容枠体４上にバキュームタンク１Ｗを中心に、吸引回収ホース２Ｗ等の装備一式が設定され、搭載機構によって基礎車体に搭載されると運転席Ａの背部に架装されたユニット操作機構Ｂの電気配線、配管機構等の各ジョイント部に各端末が接合されて作業駆動が行われるようになっている。
【００１２】
図３は、図２とは別の機能構造体ユニットの例を示すもので、一般廃棄物を回収すると同時に破砕圧縮するパッカー機構をユニット化して、前記のバキューム機構と同じく先端側頂部に搭載機構の回動腕枠３の掛架機構３２と掛合する掛合機構４１を設け、後端側底部にローラー等の移送機構４２を設置し収容枠体４上に、その装備一式を設定したものである。本明細書においては、機能構造体ユニットの具体例としてバキューム機構とパッカー機構を挙示したが、適用できる機能構造体ユニットの種類は勿論これに限られない。
【００１３】
機能構造体ユニットの基礎車体１への搭載は、図５に示すように、基礎車体１の回動腕枠３を後方に回動させて搭載される機能構造体ユニットＷの収容枠体４の先端側頂部の掛合機構４１と回動腕枠３の掛架機構３２とを掛合し、図５のｗ１の状態となる。
【００１４】
この状態で、回動腕枠３を復元方向に回動させると機能構造体ユニットＷの先端が持ち上がり、ローラー４２によって基礎車体１に引き寄せられて基礎車体のリヤローラー２３に掛架され図５のｗ２の状態となる。
【００１５】
回動腕枠３の回動が、更に進行すると、機能構造体ユニットＷの後端側底部も持ち上がり、リヤローラー２３に移送されて積載架台部２上に設置され、伸縮アーム３ｃの伸縮調整によって図５のｗ３のように基礎車体１に搭載される。
【００１６】
この場合、回動腕枠３の回動支軸となるのは支着部２１であり、ベース体３ａの基着部２２は積載架台部２上に着接した状態となっている。機能構造体ユニットＷの交換は、ｗ３ないしｗ１の作動を前記と逆の順序で行って、積載されている機能構造体ユニットを下ろし、別の機能構造体ユニットを前記搭載作動によって搭載するものである。
【００１７】
なお、機能構造体ユニットの基礎車体１への搭降載は、前記搭降載機構によらずにクレーン等によっても良いことは勿論である。本発明の中心は基礎車両に架装される特殊作業機構をユニット化して、基礎車両に交換可能に搭降載して基礎車両を効率的に活用することにあるものである。
【００１８】
本発明は以上のように構成したので、従来、１台の車両にそれぞれ特殊作業機構を架装して、車両ごと特殊作業に対応する特殊車両として構成してきた無駄を省き、１台の車両を基礎車両として機能構造体ユニットの積替えによる多機能作業車両として活用することができたものである。
【図面の簡単な説明】
【００１９】
【図１】本発明の実施例を示すもので、バキューム機構を機能構造体ユニットとして搭載した多機能作業車両の全体側面図
【図２】同じく、バキューム機構をユニット化した構造体ユニットの全体側面図
【図３】同じく、パッカー機構をユニット化した構造体ユニットの全体側面図
【図４】同じく、基礎車両の構造体ユニット搭降載機構の構造を示す基礎車両の全体斜視図
【図５】同じく、構造体ユニット搭降載機構による構造体ユニットの搭載手順と作動状況を示す多機能作業車両の模式的全体側面図
【符号の説明】
【００２０】
１        基礎車体
２        積載架台部
２１      支着部
２２      ベース体の基着部
２３      リヤローラー
３        回動腕枠
３ａ      回動腕枠のベース体
３ｂ      回動腕枠の支着体
３ｃ      回動腕枠の伸縮アーム
３ｄ      回動腕枠の駆動シリンダー
３１      回動腕枠の直立先端部
３２      回動腕枠の掛架機構
３３      回動腕枠の水平部後端
４        ユニット収容枠体
４１      収容枠体の掛合機構
４２      収容枠体の移送ローラー
Ａ        基礎車体運転席
Ｂ        ユニット操作機構
Ｗ        機能構造体ユニット
１Ｗ      バキュームタンク
２Ｗ      吸引回収ホース
ｗ１〜３  機能構造体ユニットの搭載手順位置
【図１】
2005231474.tif 000003
【図２】
2005231474.tif 000004
【図３】
2005231474.tif 000005
【図４】
2005231474.tif 000006
【図５】
2005231474.tif 000007